(57)【特許請求の範囲】
【請求項１】
水路にスクリーンを配設し、該スクリーンにより夾雑物を除去する除塵装置において、
複数のスクリーン分割体を縦方向に積み重ねて前記スクリーンを形成し、
上段の前記スクリーン分割体にフロートを取り付け、上段の前記スクリーン分割体を前記フロートの浮力により前記スクリーンの上流側の水位変化に伴って昇降させ、
上段の前記スクリーン分割体が上昇したときには、上段の前記スクリーン分割体と下段の前記スクリーン分割体との間に隙間が形成され、該隙間を通って前記スクリーンの上流側の中層水のみが下流側に放流されるように構成したことを特徴とする除塵装置。
【請求項２】
前記スクリーンは微細目スクリーンであることを特徴とする請求項１に記載の除塵装置。
【請求項３】
板面が前記水路の水流方向と平行となる板状のスクリーン材を格子状に配設して前記スクリーンを形成したことを特徴とする請求項２に記載の除塵装置。
【発明の詳細な説明】
【０００１】
【発明の属する技術分野】
本発明は、上下水道の取水口その他各種水処理施設に設置される除塵装置に関する。
【０００２】
【従来の技術】
水処理施設には除塵装置が設けられ、水処理施設に流入する処理水は、除塵装置のスクリーンによりオイルボールやスカム等の夾雑物が分離され、その後公共水域への放流等が行われる。
【０００３】
夾雑物がスクリーン目を塞いだ場合には、スクリーンの有効通過面積が少なくなって処理水の流れが妨げられて処理水の効率的な処理ができなくなるので、スクリーンへの処理水の流入を止めるなどしてスクリーンを定期的に洗浄し、スクリーン機能を回復させる必要が生じる。
【０００４】
また、スクリーンの使用中であっても、スクリーンの目詰まりによる損失水頭の上昇を押さえ、処理水を効率的に処理することができる除塵装置が提案されていた。
【０００５】
かかる除塵装置としては、図９に示すように、スクリーン本体１００の上部に可動スクリーン１０１をヒンジ１０２にて起倒自在にして連結し、可動スクリーン１０１の上端に連結されたワイヤー１０３にウエイト１０４を取り付けて可動スクリーン１０１を立設して構成され、図１０に示すように、多量の雨水が流入して処理水Ｗの水位が上昇したときには、可動スクリーン１０１に水圧が作用して該可動スクリーン１０１がウエイト１０４の重さに抗して倒れ、処理水Ｗの上層水Ｗ１がスクリーン本体１００を越流して下流側に放流されるようになっている。
【０００６】
しかし、この除塵装置では、夾雑物Ｄを多く含む上層水Ｗ１が下流側に放流されるので、公共水域を汚してしまうという問題があった。
【０００７】
また、従来の除塵装置のスクリーンは、金属線材を編んで形成されたネット式のものであったので、毛髪やひも状の物が絡まり易く、また、絡まった毛髪等を除去し難いという問題があった。
【０００８】
【発明が解決しようとする課題】
本発明は、上記の点に鑑みてなされたものであって、夾雑物を多く含む上層水を放流することなく、処理水の効率的な処理が可能になる除塵装置を提供する。
【０００９】
【課題を解決するための手段】
前記課題を解決するために本発明は、水路にスクリーンを配設し、該スクリーンにより夾雑物を除去する除塵装置において、複数のスクリーン分割体を縦方向に積み重ねて前記スクリーンを形成し、上段の前記スクリーン分割体にフロートを取り付け、上段の前記スクリーン分割体を前記フロートの浮力により前記スクリーンの上流側の水位変化に伴って昇降させ、上段の前記スクリーン分割体が上昇したときには、上段の前記スクリーン分割体と下段の前記スクリーン分割体との間に隙間が形成され、該隙間を通って前記スクリーンの上流側の中層水のみが下流側に放流されるように構成したことを特徴とする除塵装置を提供する。
【００１０】
前記スクリーンは微細目スクリーンであることが好ましい。
【００１１】
また、前記スクリーンは、板面が前記水路の水流方向と平行となる板状のスクリーン材を格子状に配設して形成されるのが好ましい。
【００１２】
【発明の実施の形態】
以下、本発明の実施の形態について図面を参照して説明する。
【００１３】
図１及び図２に示すように、除塵装置は汚水や雨水等の処理水Ｗの水路１に配設されるものであって、微細目のスクリーン２と、スクリーン２を浮力により浮上させるフロート３と、ガイド溝４を有するガイド５と、スクリーン２の揚荷装置６とを備えている。
【００１４】
スクリーン２は複数のスクリーン分割体７，８を縦方向に積み重ねて形成されている。最上段に位置するスクリーン分割体７は、図４に示すように、スクリーン本体７ａの外周に枠体７ｂを設け、該枠体７ｂの側枠材にローラー７ｃを取り付けて構成されている。また、最上段のスクリーン分割体７よりも下に位置するスクリーン分割体８は、図５に示すように、スクリーン本体８ａの外周に枠体８ｂを設けて構成されている。
【００１５】
また、フロート３は、図７に示すように、最上段のスクリーン分割体７の正面側（上流側の面）に着脱自在に取り付けられている。
【００１６】
スクリーン分割体８同士は図外の連結具にて着脱自在に連結され、これによりスクリーン分割体７を除く全てのスクリーン分割体８が一体化されている。また、最上段のスクリーン分割体７とこれの直ぐ下のスクリーン分割体８とは図外の連結具で着脱自在に連結可能になっている。
【００１７】
図７に示すように、ガイド５は水路１の両側壁に固定され、ガイド５のガイド溝４にスクリーン分割体７のローラー７ｃ及びスクリーン分割体８の枠体８ａが嵌め込まれてスクリーン２が水路１の底面から垂直に立設されている。
【００１８】
スクリーン分割体７，８のスクリーン本体７ａ，８ａは、図６に示すように、合成樹脂製、ステンレス製、アルミ製等の一体成形体であって、板状のスクリーン材９により格子状に形成され、スクリーン材の板面９ａを水路１の水流方向と平行に配設してスクリーン目の奥行き寸法が大きくなるように構成されている。また、スクリーン本体７ａ，８ａの目開きは、例えば１０ｍｍに設定されている。
【００１９】
なお、図１に示すように、微細目のスクリーン２よりも上流側の水路１には細目スクリーン１０（目幅は例えば２５ｍｍ）が配設され、この細目スクリーン１０よりも更に上流側には図外の粗目スクリーン（目幅は例えば５０ｍｍ）が配設されている。
【００２０】
図７は、スクリーン２の上流側にオイルボールやスカム等の夾雑物Ｄが溜まり、スクリーン目が塞がれて上流側の処理水Ｗの水位が上昇した状態を示し、このときにはフロート３は処理水Ｗにつかっておらず、スクリーン分割体７とその直ぐ下のスクリーン分割体８との間は塞がっている、
雨天時には、水路１に大量の処理水Ｗが流入するので、図８に示すように、水路１の処理水Ｗの水位が全体的に上昇し、スクリーン２を挟む上流側と下流側との水位差が大きくなる。そして、フロート３が処理水Ｗにつかることにより、フロート３の浮力で最上段のスクリーン分割体７のみが浮き上がる。この結果、図８に示すように、最上段のスクリーン分割体７とその直ぐ下の下段のスクリーン分割体８との間に隙間１１ができ、該隙間１１から上流側の処理水Ｗの中層水Ｗ２が下流側に放流される一方、上流側の処理水Ｗの上層に位置する水は最上段のスクリーン分割体７に遮られて放流されない。
【００２１】
このように、夾雑物Ｄを多く含む上層水Ｗ１は放流されることなく、夾雑物Ｄを余り含まない中層水Ｗ２のみが下流側に放流され、処理水Ｗの効率的な処理が可能になる。
【００２２】
逆に、水位が低下するときには、フロート３と共に最上段のスクリーン分割体７が降下して隙間１１を塞ぐので、水位の低下に伴って上層水Ｗ１が間隙１１から放流されるのを防止できる。
【００２３】
このように、処理水Ｗの流入量に応じて最上段のスクリーン分割体７の上昇する高さが自動的に変更されるので、夾雑物Ｄを多く含む上層水Ｗ１が、最上段のスクリーン分割体７を超えて放流されたり、最上段のスクリーン分割体７を潜って放流されることはない。
【００２４】
また、夾雑物Ｄを多く含む上層水Ｗ１の層が厚い場合には、最上段のスクリーン分割体７とその直ぐ下のスクリーン分割体８を前記連結具により連結し、これら２つのスクリーン分割体７，８をフロート３と共に昇降させることにより、上層水Ｗ１の放流を防止できる。フロート３と共に昇降させるスクリーン分割体７，８の数やスクリーン分割体７，８の寸法などについては、夾雑物Ｄが少ない中層水のみを放流できるものであれば、特に限定はされず、また、フロート３の浮力の大きさも適宜設計変更されるものである。
【００２５】
なお、除塵装置で夾雑物Ｄが除去された処理水Ｗは、ポンプアップなどにより河川に放流されたり、処理槽に送られて処理される。
【００２６】
また、処理水Ｗがスクリーン２のスクリーン目を通過するときには、図６に示すように、処理水Ｗはスクリーン材９の板面９ａに沿って流れ、スクリーン材９はフィンのように整流板として機能し、スクリーン２の背面での渦流等の発生を抑えることができ、この結果、スクリーン材９への毛髪等の絡み付きを防止でき、毛髪等を通過させることができる。
【００２７】
スクリーン２を掃除するときには、図１に示すように、ワイヤー６ａを最上段のスクリーン分割体７に連結し、揚荷装置６でワイヤー６ａを巻き上げてスクリーン２全体を引き上げる。このとき、最上段のスクリーン分割体７とその直ぐ下のスクリーン分割体とを前記連結具にて連結しておく。
【００２８】
引き揚げられたスクリーン２には、その背面側（流出側）からスクリーン２に向けて高圧洗浄水を噴射してスクリーン目に詰まった夾雑物Ｄを除去する。この場合、スクリーン２には毛髪等は絡み付いていないので、スクリーン２を簡単に洗浄することができる。
【００２９】
【発明の効果】
本発明の除塵装置によれば,スクリーンの上流側の処理水の水位が上昇したときには、夾雑物を多く含む上層水を放流することなく、夾雑物が少ない中層水のみを放流することができるので、油分を多く含む処理水や濁度の高い処理水が放流されることなく、処理水を効率的に処理することができる。
【００３０】
また、フロートの浮力のみを利用してスクリーンを制御するので、モーター等の動力源や動力伝達装置を用いることなく自動運転が可能となり、この結果、装置の維持管理が容易になり、人件費等のコスト面でも有利になり、騒音公害の発生も防止できる。
【００３１】
また、スクリーンは板状スクリーン材を板面が前記水路の水流方向と平行となうように格子状に配設して構成されるので、処理水はスクリーン材の板面に沿って整流となって流れ、スクリーンの背面側での乱流等の発生を防止でき、この結果、毛髪やひも状物がスクリーンに絡み付くのを防止できてスクリーンの維持管理は容易になる。更に、水流による水圧に対するスクリーンの剛性を高めることができるので、補強材が不要となり、製造コストの面でも有利になる。
【図面の簡単な説明】
【図１】本発明に係る除塵装置を水路に設置した状態を示す図である。
【図２】本発明に係る除塵装置の正面図である。
【図３】図２のＸ−Ｘ線断面図である。
【図４】本発明に係る除塵装置の上段のスクリーン分割体を示す正面図である。
【図５】本発明に係る除塵装置の下段のスクリーン分割体を示す正面図である。
【図６】本発明に係る除塵装置のスクリーンを示す斜視図である。
【図７】本発明に係る除塵装置を示す図である。
【図８】本発明に係る除塵装置の動作を示す図である。
【図９】従来の除塵装置を示す図である。
【図１０】従来の除塵装置の動作を示す図である。
【符号の説明】
Ｗ      処理水
Ｗ１    上層水
Ｗ２    中層水
Ｄ      夾雑物
１      水路
２      スクリーン
３      フロート
５      ガイド
７      上段のスクリーン分割体
８      下段のスクリーン分割体
９      スクリーン材
９ａ    スクリーン材の板面
１１    隙間
【図１】
0003656137.tif 000002
【図２】
0003656137.tif 000003
【図３】
0003656137.tif 000004
【図４】
0003656137.tif 000005
【図５】
0003656137.tif 000006
【図６】
0003656137.tif 000007
【図７】
0003656137.tif 000008
【図８】
0003656137.tif 000009
【図９】
0003656137.tif 000010
【図１０】
0003656137.tif 000011